(57)【要約】【課題】含油軸受けを備えた振動モータに於て、容易、且つ、安価にオイルの飛散を防止し、含油軸受けのオイル上がりを防止する。【解決手段】中心部にシャフト２が固着されたロータがモータケース３内に収納され、該シャフト２が該モータケース３の両側部に固設された含油軸受け４，４に軸支され、該シャフト２の一端が延設された出力軸５に偏心おもり６が付設された振動モータ１４に於て、前記シャフト２の前記偏心おもり６と前記含油軸受け４の間に少なくとも１枚のワッシャー１５を摺動自在に介装し、該含油軸受け４と該ワッシャー１５間にオイル１６を注入して、該ワッシャー１５を該含油軸受け４に付着させ該ワッシャー１５が該シャフト２と共回りすることを規制した振動モータを提供する。【選択図】  図２
2005020959.tif 000002
【特許請求の範囲】
【請求項１】
中心部にシャフトが固着されたロータがモータケース内に収納され、該シャフトが該モータケースの両側部に固設された含油軸受けに軸支され、該シャフトの一端が延設されて成る出力軸に偏心おもりが付設された振動モータに於て、前記シャフトの前記偏心おもりと前記含油軸受けの間に少なくとも１枚のワッシャーを摺動自在に介装し、該含油軸受けと該ワッシャー間にオイルを注入して、該ワッシャーを該含油軸受けに付着させ該ワッシャーが該シャフトと共回りすることを規制したことを特徴とする振動モータ。
【請求項２】
上記ワッシャーは合成樹脂であることを特徴とする請求項１記載の振動モータ。
【発明の詳細な説明】
【０００１】
【発明の属する技術分野】
この発明は、振動モータに関するものであり、特に、ロータが固着されたシャフトがモータケースに固設された含油軸受けに軸支され、該シャフトの一端に偏心おもりが付設された振動モータに関するものである。
【０００２】
【従来の技術及び発明が解決しようとする課題】
従来の此種振動モータを図３及び図４に従って説明する。図３に於て、１は振動モータであり、該振動モータ１は中心部にシャフト２が固着されたロータ（図示せず）がモータケース３内に収納され、該シャフト２が該モータケース３の両側部に固設された含油軸受け４，４に軸支され、該シャフト２の一端が延設されて成る出力軸５に断面視略半円状の偏心おもり６が付設されている。
【０００３】
而して、前記振動モータ１が駆動されると、前記ロータが回転すると共に、前記シャフト２を介して前記偏心おもり６が回転し、該偏心おもり６の回転によって振動が発生する。
【０００４】
この時、前記含油軸受け４，４に軸支された前記シャフト２は該含油軸受け４，４から供給されるオイルによって潤滑され円滑な回転を行うことができる。
【０００５】
然しながら、該含油軸受け４，４から供給されるオイルは、次第に前記シャフト２側に流れて、該シャフト２の回転によって飛散し、該含油軸受け４，４に、所謂、オイル上がりが発生する。
【０００６】
又、振動モータではないが、図４に示す如く、ステータケース７と、ロータ８に固着された回転軸９と、該ステータケース７に固定され、該回転軸９を支承する含油軸受け１０，１０とを備えた小型モータ１１に於て、含油座金１２を前記回転軸９に挿通して該含油座金１２を前記含油軸受け１０，１０に当接可能とすると共に、摺動抵抗の小さい樹脂軸受け１３，１３を該回転軸９に挿通して該含油座金１２に当接可能とした小型モータが知られている（特許文献１参照。）。
【０００７】
該小型モータ１１は前記含油座金１２によって前記含油軸受け１０，１０に油を供給することができると共に、該含油座金１２の回転を前記樹脂軸受け１３，１３で規制して、該含油座金１２の油、及び、前記含油軸受け１０，１０から流出する油の飛散を防止するものである。
【０００８】
然しながら、該小型モータ１１は含油座金１２及び樹脂軸受け１２，１２を用いるため、部品点数が多く、コスト高となり、又、該樹脂軸受け１３，１３及び該含油座金１２は回転する虞があり、該含油座金１２が回転するとオイルが飛散し、前記含有軸受け１０，１０のオイルがなくなり、所謂、オイル上がりが発生する。
【０００９】
そこで、含油軸受けを備えた振動モータに於て、容易、且つ、安価にオイルの飛散を防止し、含油軸受けのオイル上がりを防止するために解決すべき技術的課題が生じてくるのであり、本発明はこの課題を解決することを目的とする。
【００１０】
【特許文献１】
実開平３−７７２５７号公報  （第１−１１頁、第１−３図）
【００１１】
【課題を解決するための手段】
本発明は上記目的を達成するために提案されたものであり、請求項１記載の発明は、中心部にシャフトが固着されたロータがモータケース内に収納され、該シャフトが該モータケースの両側部に固設された含油軸受けに軸支され、該シャフトの一端が延設されて成る出力軸に偏心おもりが付設された振動モータに於て、前記シャフトの前記偏心おもりと前記含油軸受けの間に少なくとも１枚のワッシャーを摺動自在に介装し、該含油軸受けと該ワッシャー間にオイルを注入して、該ワッシャーを該含油軸受けに付着させ該ワッシャーが該シャフトと共回りすることを規制した振動モータである。
【００１２】
該請求項１記載の発明によれば、前記ワッシャーによって前記含油軸受けのオイルの飛散を防止できると共に、オイルを該含油軸受けに供給し、該含油軸受けのオイル上がりを防止することができる。
【００１３】
又、請求項２記載の発明は、上記ワッシャーは合成樹脂である振動モータである。
【００１４】
該請求項２記載の発明によれば、前記ワッシャーは安価であり、加工も容易である。
【００１５】
【発明の実施の形態】
以下、本発明の一実施の形態を図１及び図２に従って詳述する。尚、説明の都合上、従来例と同一構成部分については同一符号を付してその説明を省略する。図１に於て、１４は振動モータであり、該振動モータ１４は従来例の振動モータ（図３に於て１）に於て、シャフト２の偏心おもり６と、該偏心おもり６に対峙する含油軸受け４との間に少なくとも１枚の合成樹脂性のワッシャー１５を摺動自在に介装したものであり、更に、該含油軸受け４と該ワッシャー１５間にオイル１６を注入して、該オイル１６によって該ワッシャー１５を該含油軸受け４に付着させ該ワッシャー１５が該シャフト２と共回りすることを規制するように構成したものである。
【００１６】
従って、前記ワッシャー１５は組み立て時、前記偏心おもり６が取り付けられる前に、前記シャフト２に摺動自在に挿通されて、前記含油軸受け４に接触可能に組み立てられる。そして、前記偏心おもり６が取り付けられる前、又は、取り付けられた後、該ワッシャー１５と該含油軸受け４間にオイル１６が注入されると、該オイル１６の表面張力によって該ワッシャー１５は該含油軸受け４に付着し、前記シャフト２が回転する時も該ワッシャー１５は該含油軸受け４に付着状態に保持されて略静止状態を維持する。
【００１７】
而して、組み立てられた前記振動モータ１４が駆動されると、ロータが回転すると共に、前記偏心おもり６が回転し、該偏心おもり６の回転によって振動が発生する。
【００１８】
そして、前記ロータの回転と共に前記含油軸受け４，４に軸支された前記シャフト２が回転し、該シャフト２は該含油軸受け４，４から供給されるオイル１６によって円滑な回転を行うことができる。
【００１９】
この時、前記ワッシャー１５は前記シャフト２が回転しても該シャフト２と共回りすることなく、前記含油軸受け４に付着して略静止状態を維持し、前記含油軸受け４，４から流出するオイル１６を該ワッシャー１５と前記含油軸受け４間に貯留する。そして、該ワッシャー１５が回転しないため、該ワッシャー１５によってオイル１６が飛散することもなく、且つ、前記シャフト２の回転によるオイル１６の飛散も防止できる。更に、該ワッシャー１５と前記含油軸受け４間に注入されたオイル１６及び該含油軸受け４から流出したオイル１６を該含油軸受け４側に供給することができる。
【００２０】
又、該ワッシャー１５と該含油軸受け４間に注入されたオイル１６が減少した時は、適宜、追加注入すればよい。
【００２１】
斯くして、前記振動モータ１４に取り付けた前記ワッシャー１５は前記含油軸受け４から流出したオイル１６の飛散を防止することができると共に、注入されたオイル１６及び該含油軸受け４から流出したオイル１６を該含油軸受け４に供給することができる。
【００２２】
又、該ワッシャー１５は合成樹脂製の単品であるので、容易、且つ、安価に作成することができる。
【００２３】
尚、該ワッシャー１５を複数設けることも可能であり、然る時は、オイル１６の飛散を更に確実に防止することができると共に、注入するオイル量を増やすことができる。
【００２４】
又、該ワッシャー１５は前述の合成樹脂に代えて、金属、ゴム、グラスファイバー、石綿、紙、布等で作成することも可能であり、然る時も同様の効果を得ることができる。
【００２５】
更に、図示は省略するが前記ワッシャー１５を弾性体で形成し、且つ、該ワッシャーに中心から外周に及ぶスリットを形成し、該スリットを開いて該ワッシャーを前記シャフト２に遊嵌させることも可能であり、然る時は、前記偏心おもり６を組み立てた後に該ワッシャーを組み込むことが可能である。
【００２６】
尚、本発明は、本発明の精神を逸脱しない限り種々の改変を為すことができ、そして、本発明が該改変されたものに及ぶことは当然である。
【００２７】
【発明の効果】
本発明は上記一実施の形態に詳述したように、請求項１記載の発明は、シャフトが含油軸受けに軸支された振動モータに於て、前記シャフトの偏心おもりと前記含油軸受けの間に少なくとも１枚のワッシャーを摺動自在に介装し、該含油軸受けと該ワッシャー間にオイルを注入して、該ワッシャーを該含油軸受けに付着させ該ワッシャーが該シャフトと共回りすることを規制したので、前記ワッシャーによって前記含油軸受けのオイルの飛散を防止できると共に、オイルを該含油軸受けに供給し、該含油軸受けのオイル上がりを防止することができる。又、該ワッシャーは容易、且つ、安価に作成することができる。
【００２８】
更に、請求項２記載の発明は、上記ワッシャーは合成樹脂であるので、請求項１記載の発明の効果に加え、更に、容易、且つ、安価に作成することができる等、正に著大なる効果を奏する発明である。
【図面の簡単な説明】
【図１】（ａ）本発明の一実施の形態を示し、振動モータの側面図。
（ｂ）本発明の一実施の形態を示し、振動モータの正面図。
【図２】図１に示す振動モータの拡大正面図。
【図３】（ａ）従来例を示し、振動モータの側面図。
（ｂ）従来例を示し、振動モータの正面図。
【図４】他の従来例を示し、振動モータの正面縦断面図。
【符号の説明】
２          シャフト
３          モータケース
４          含油軸受け
５          出力軸
６          偏心おもり
１４          振動モータ
１５          ワッシャー
１６          オイル
【図１】
2005020959.tif 000003
【図２】
2005020959.tif 000004
【図３】
2005020959.tif 000005
【図４】
2005020959.tif 000006